(57)【要約】【課題】  浴室洗い場の排水口に被せる排水蓋に毛髪を絡ませないようにする。【解決手段】  洗い場の排水孔２ｂが形成された排水口２の上方を排水蓋３で覆ってなる浴室洗い場の排水部構造において、排水蓋３の裏面の中央部を下方から支持する支持手段としての封水筒５を排水孔２ｂに設けることによって排水蓋３を排水口２の底面から浮揚させる。これによれば、排水蓋３を下方から支持手段で支持するので、排水蓋３は排水流路を分断しないように排水蓋３を排水口２から浮揚させることができる。そのため、洗い場から排水口２に流れてくる水に含まれる毛髪は排水蓋３に引っ掛かることがない。【選択図】  図２
2015124555.tif 000002
【特許請求の範囲】
【請求項１】
洗い場の排水孔が形成された排水口の上方を排水蓋で覆ってなる浴室洗い場の排水部構造において、
前記排水孔に設けた支持手段によって前記排水蓋の裏面の中央部を下方から支持して前記排水蓋を排水口の底面から浮揚させたことを特徴とする浴室洗い場の排水部構造。
【請求項２】
前記支持手段は、排水トラップを構成するために前記排水孔に装着されて、上端部に前記排水蓋を保持する封水筒としたことを特徴とする請求項１記載の浴室洗い場の排水部構造。
【請求項３】
前記排水口と前記封水筒との間にヘアキャッチャーを配設し、前記ヘアキャッチャーより下方に、前記封水筒を貫通する通水孔を形成したことを特徴とする請求項２記載の浴室洗い場の排水部構造。
【発明の詳細な説明】
【技術分野】
【０００１】
本発明は、浴室の洗い場に設けられた排水部に関する発明である。
【背景技術】
【０００２】
従来の浴室の、洗い場の排水部構造としては、特許文献１に示されるように、洗い場の床面から一段下方へ凹没した凹所の底面に円孔状の排水孔を穿設させて排水口を形成し、その排水口には排水蓋が被着されている。排水蓋は、排水孔を目隠しする蓋板部の下面にゴム製の脚部を垂設しており、この脚部を排水口の凹所の底面に載置して排水口内に設置される。そして、排水蓋の側面と排水口の内側面（凹所の内側面）との間、排水蓋の側面下端と凹所の底面との間に隙間が形成され、これらの隙間を介して洗い場の床面上の水を排水孔に排水している。
【先行技術文献】
【特許文献】
【０００３】
【特許文献１】特開２００８−１３３６１８号公報
【発明の概要】
【発明が解決しようとする課題】
【０００４】
ところで、排水蓋は蓋板部の下面に垂設された脚部を有するので、洗い場から排水口に流れ込む水の流れは、脚部によって左右に分断される。一方で、洗い場では頭や体を洗うため、洗い場から排水口に流れ込む水には毛髪、垢、石鹸カス等の異物が含まれている。
毛髪を含んだ水の流れが排水蓋の脚部で分断されると脚部に毛髪が絡んでしまう。脚部に絡んだ毛髪は、垢や石鹸カスといった汚れが付着すると、堆積した汚れがヌメリとなり、臭いの原因となる上、毛髪やヌメリを除去する手間が増大する。
【０００５】
本発明は、上記問題を解決するためになされたもので、その課題は、浴室洗い場の排水口に被せる排水蓋に毛髪を絡ませないようにすることである。
【課題を解決するための手段】
【０００６】
上記した課題を解決するために、請求項１にかかる発明は、洗い場の排水孔が形成された排水口の上方を排水蓋で覆ってなる浴室洗い場の排水部構造において、前記排水蓋の裏面の中央部を下方から支持する支持手段を前記排水孔に設けることによって前記排水蓋を排水口の底面から浮揚させたことを特徴とする。
【０００７】
これによれば、排水蓋の中央部を下方から支持手段で支持するので、排水蓋は排水流路を分断しないように配設されて排水蓋を排水口から浮揚させることができる。そのため、洗い場から排水口に流れてくる水に含まれる毛髪は排水蓋に引っ掛かることがない。よって、洗い場から排水口に流れ込む水は、排水蓋の脚部で分断されることがないので、排水蓋に毛髪が絡みつくのを防止することができる。また毛髪の絡みがなくなることにより、水垢や石鹸カスが排水蓋に付着する程度も減少し、排水蓋に堆積される汚れが低減される。したがって、排水蓋のお手入れの手間を削減することが可能となる。
【０００８】
また、請求項２にかかる発明は、前記支持手段は、前記排水孔に装着されて上端部に前記排水蓋が保持される、封水筒とすることを特徴とする。
【０００９】
これによれば、既存の部材の形状を変えるだけで良いので、コストの増大を防ぐことが可能となる。
【００１０】
さらに、請求項３にかかる発明は、前記排水口と封水筒との間にヘアキャッチャーを配設し、前記ヘアキャッチャーより下方に、前記封水筒を貫通する通水孔を形成することを特徴とする。
【００１１】
これによれば、封水筒の中間から排水が流れ込むように構成されているので、封水筒が排水蓋を支持する部位で排水流路を分断することがなく、毛髪をヘアキャッチャーに集中させることができる。
【発明の効果】
【００１２】
本発明によれば、浴室洗い場の排水口に被せる排水蓋に毛髪を絡ませないようにした浴室洗い場の排水部構造を提供することが可能となる。
【図面の簡単な説明】
【００１３】
【図１】浴室洗い場を示す平面図である。
【図２】本発明の浴室洗い場の排水部構造を示す模式的断面図である。
【発明を実施するための形態】
【００１４】
以下、本発明の実施の形態を、図に基づいて説明する。
【００１５】
浴室の洗い場は、図１のように、洗い場床面１と、浴槽側の端部に水を排水させるための排水口２が形成され、排水蓋３が配設されている。
【００１６】
この排水口２は、図２に示すように、洗い場床面１を下方に凹ませた凹所２ａの底面に排水孔２ｂを設けている。排水口２には、排水孔２ｂを目隠しするための排水蓋３が配設されている。
排水蓋３は、後述する支持手段によって排水口２の凹所２ａの底面から浮揚させている。
【００１７】
支持手段は、本実施形態においては、封水を貯める排水トラップ４の一部を担う封水筒５を利用したものである。封水筒５は、排水孔２ｂに装着されている。この封水筒５は排水蓋３を支持するため、排水トラップ４に載置され、且つ、封水筒５の上部を凹所２ａの底面に対して上方に突出させて配設されている。そして、排水蓋３は、封水筒５の天面５ｂに載置されて封水筒５を支持する。そのため、排水蓋３は、凹所２ａの底面から浮揚することになる。これにより、排水蓋３は、排水口２に水がない状態であっても常に排水口２から浮揚させることができる。
さらに、封水筒５には水を排水させるために、その側壁に貫通させた通水孔５ａが形成されており、この通水孔５ａの上方にはヘアキャッチャー６が配設されている。そのため、排水口２と封水筒５の間には水が貯まることがない。
【００１８】
次に、洗い場から排水孔２ｂへの水の流れについて説明する。
上記のような構成により、排水口２や排水蓋３には排水蓋３を排水口２に載置するための突起や脚が不要となるので、排水口２と排水蓋３は凹凸部の少ない形状が実現できる。そして、排水蓋３は封水筒５によって、排水口２から常に安定した位置で浮揚する。すなわち、排水蓋３は排水口２に対して非接触となる。そのため、排水口２には水の流れを分断させない流路が形成されるので、毛髪や垢、石鹸カスといった汚れを含んだ水は排水蓋３の脚などで滞留させることなく、洗い場床面１から排水孔２ｂへ排出することができる。なお、排水口２に排出された毛髪や垢、石鹸カスといった汚れは、通水孔５ａに到達する前に排水口２と封水筒５との間に配設されたヘアキャッチャー６で捕捉される。さらに、ヘアキャッチャー６を通過した水は、通水孔５ａを通過し、封水筒５の内部に流れて、排水トラップ４から排水される。
【００１９】
次に、排水口２を清掃する際の手順について説明する。
まず排水口２の内部を掃除する際、封水筒５の天面５ｂに載置されている排水蓋３を取り外して清掃することができる。そして、毛髪や垢、石鹸カスといった汚れはヘアキャッチャー６で捕捉しているため、封水筒５に嵌っているヘアキャッチャー６を取り外して毛髪や垢、石鹸カスといった汚れを破棄し、清掃することができる。さらに、排水口２の内部を念入りに清掃する場合は、排水トラップ４に載置された封水筒５を取り外して清掃することができる。
【００２０】
このような実施形態によれば、洗い場１の排水口２に被せる排水蓋３は、排水口２に接触しないので、排水蓋３に毛髪が絡むことがなく、お手入れの手間が削減でき、清潔な浴室洗い場の排水部構造を実現することができる。
【００２１】
以上、本発明の一実施形態を図に基づいて説明したが、本発明は、封水筒天面５ｂがない、筒状の封水筒５であっても実現できる。
【符号の説明】
【００２２】
１  ：洗い場床面
２  ：排水口
２ａ：凹所
２ｂ：排水孔
３  ：排水蓋
４  ：排水トラップ
５  ：封水筒
５ａ：通水孔
５ｂ：封水筒の天面
６  ：ヘアキャッチャー
【図１】
2015124555.tif 000003
【図２】
2015124555.tif 000004